(57)【要約】  基地局（１０２）は、移動局（１０４）が特定の状況において電池電力を節約することを可能とし得る特定のＭＡＰ送信規則（１０６）に従って動作するように構成され得る。ＭＡＰメッセ−ジ（１０８）受信時に、移動局（１０４）は、ＳＵＢ−ＭＡＰポインタＩＥ（１１２）内の待機ユ−ザビット（１１４）およびＳＵＢ−ＭＡＰポインタＩＥ（１１２）内の休止ユ−ザビット（１１６）の少なくとも１つの値を決定することにより、移動局（１０４）に割り当てられたバ−ストが現フレ−ム内にあるかどうかを決定し得る。移動局（１０４）は、移動局（１０４）に割り当てられたバ−ストが現フレ−ム内に無い場合、ＭＡＰメッセ−ジ（１０８）の処理を中止し移動局（１０４）の１つまたは複数の構成要素（１２０，１２２）の電力を落とし得る。
2011523833.tif 000002
【特許請求の範囲】
【請求項１】
移動局において、
ＳＵＢ−ＭＡＰポインタ情報要素（ＩＥ）を含むＭＡＰメッセ−ジを受信することと、
前記ＳＵＢ−ＭＡＰポインタＩＥ内の待機ユ−ザビットおよび前記ＳＵＢ−ＭＡＰポインタＩＥ内の休止ユ−ザビットのうちの少なくとも１つの値を決定することにより前記移動局に割り当てられたバ−ストが現フレ−ム内にあるかどうかを決定することと、
前記移動局に割り当てられたバ−ストが前記現フレ−ム内に無い場合、前記ＭＡＰメッセ−ジの処理を中止し前記移動局の１つまたは複数の構成要素の電力を落とすこと、
とを含む、電池電力を節約するための方法。
【請求項２】
前記待機ユ−ザビットの位置および前記休止ユ−ザビットの位置が、前記移動局によってあらかじめ知られている、請求項１に記載の方法。
【請求項３】
前記待機ユ−ザビットおよび前記休止ユ−ザビットの少なくとも１つの前記値を決定することが、ハ−ドウェアで実施される、請求項１に記載の方法。
【請求項４】
前記待機ユ−ザビットおよび前記休止ユ−ザビットの少なくとも１つの前記値を決定することが、パタ−ンマッチングを含む、請求項１に記載の方法。
【請求項５】
前記移動局は、待機モ−ドにあり、かつ前記方法は、前記待機ユ−ザビットの前記値を決定することを含む、請求項１に記載の方法。
【請求項６】
前記移動局は、休止モ−ドにあり、かつ前記方法は、前記休止ユ−ザビットの前記値を決定することを含む、請求項１に記載の方法。
【請求項７】
前記ＭＡＰメッセ−ジは、圧縮ダウンリンク（ＤＬ）ＭＡＰメッセ−ジである、請求項１に記載の方法。
【請求項８】
前記移動局は、米国電気電子通信学会（ＩＥＥＥ）８０２．１６規格に従って動作するように構成された、請求項１に記載の方法。
【請求項９】
基地局において、移動局による電池電力節約を容易にするためにＭＡＰメッセ−ジを送信するための方法であって、
現フレ−ムのダウンリンク（ＤＬ）サブフレ−ムでＭＡＰメッセ−ジを送信することと、
待機モ−ドまたは休止モ−ドにある移動局に対してデ−タバ−ストを割り当てるためにＳＵＢ−ＤＬ−ＵＬ−ＭＡＰメッセ−ジのみを用いることと、
バ−ストが前記現フレ−ム内に割当られ済みの、待機モ−ドまたは休止モ−ドにあるすべての前記移動局に対し、単一のポインタ情報要素（ＩＥ）のみを用いることと、
前記ポインタＩＥを前記ＭＡＰメッセ−ジの第１のＩＥとして送信することと、
を含む方法。
【請求項１０】
前記ＭＡＰメッセ−ジは、圧縮ＤＬ  ＭＡＰメッセ−ジである、請求項９に記載の方法。
【請求項１１】
前記ポインタＩＥは、ＳＵＢ−ＭＡＰポインタＩＥである、請求項９に記載の方法。
【請求項１２】
前記基地局は、米国電気電子学会（ＩＥＥＥ）８０２．１６規格に従って動作するように構成された、請求項９に記載の方法。
【請求項１３】
ＳＵＢ−ＭＡＰポインタ情報要素（ＩＥ）を含むＭＡＰメッセ−ジを受信するように構成された受信機と、
前記ＳＵＢ−ＭＡＰポインタＩＥ内の待機ユ−ザビット、および前記ＳＵＢ−ＭＡＰポインタＩＥ内の休止ユ−ザビットの少なくとも１つの値を決定することにより前記移動局に割り当てられたバ−ストが前記現フレ−ム内にあるかどうかを決定するように構成された復号器と、を備え、
前記移動局に割り当てられたバ−ストが前記現フレ−ム内に無い場合、前記移動局が前記ＭＡＰメッセ−ジの処理を中止し前記移動局の１つまたは複数の構成要素の電力を落とす、
電池電力を節約するように構成された移動局。
【請求項１４】
前記待機ユ−ザビットの位置および前記休止ユ−ザビットの位置は、前記移動局によってあらかじめ知られている、請求項１３に記載の移動局。
【請求項１５】
前記復号器は、ハ−ドウェアで実施される、請求項１３に記載の移動局。
【請求項１６】
前記待機ユ−ザビットおよび前記休止ユ−ザビットの少なくとも１つの前記値を決定することは、パタ−ンマッチングを含む、請求項１３に記載の移動局。
【請求項１７】
移動局による電池電力節約を容易にするためにＭＡＰメッセ−ジを送信するように構成された基地局であって、
プロセッサと、
前記プロセッサと電子交信するメモリ−と、
前記メモリ−に格納された命令と、を備え、
前記命令が、
現フレ−ムのダウンリンク（ＤＬ）サブフレ−ムでＭＡＰメッセ−ジを送信するように、かつ
待機モ−ドまたは休止モ−ドにある移動局にデ−タバ−ストを割り当てるためにＳＵＢ−ＤＬ−ＵＬ−ＭＡＰメッセ−ジのみを用いるように、かつ
バ−ストが前記現フレ−ム内に割り当てられ済みの、待機モ−ドまたは休止モ−ドにあるすべての前記移動局に対し、単一のポインタ情報要素（ＩＥ）のみを用いるように、かつ
前記ポインタＩＥを前記ＭＡＰメッセ−ジの前記第１のＩＥとして送信するように、
実行可能である命令である、基地局。
【請求項１８】
前記ＭＡＰメッセ−ジは、圧縮ＤＬ  ＭＡＰメッセ−ジである、請求項１７に記載の基地局。
【請求項１９】
前記ポインタＩＥは、ＳＵＢ−ＭＡＰポインタＩＥである、請求項１７に記載の基地局。
【請求項２０】
ＳＵＢ−ＭＡＰポインタ情報要素（ＩＥ）を含むＭＡＰメッセ−ジを受信するための手段と、
前記ＳＵＢ−ＭＡＰポインタＩＥ内の待機ユ−ザビット、および前記ＳＵＢ−ＭＡＰポインタＩＥ内の休止ユ−ザビットの少なくとも１つの前記値を決定することにより前記移動局に割り当てられたバ−ストが前記現フレ−ム内にあるかどうかを決定するための手段と、
前記移動局に割り当てられたバ−ストが前記現フレ−ム内に無い場合、前記ＭＡＰメッセ−ジの処理を中止するためと前記移動局の１つまたは複数の構成要素の電力を落とすためとの手段と、
を含備えた、電池電力を節約するように構成された移動局。
【請求項２１】
前記待機ユ−ザビットの前記位置および前記休止ユ−ザビットの前記位置は、前記移動局によってあらかじめ知られている、請求項２０に記載の移動局。
【請求項２２】
前記移動局に割り当てられたバ−ストがあるかどうかを決定するための前記手段は、ハ−ドウェアで実施される、請求項２０に記載の移動局。
【請求項２３】
前記待機ユ−ザビットおよび前記休止ユ−ザビットの少なくとも１つの前記値を決定することは、パタ−ンマッチングを含む、請求項２０に記載の移動局。
【請求項２４】
移動局によって電池電力節約を容易にするためにＭＡＰメッセ−ジを送信するように構成された基地局であって、
現フレ−ムのダウンリンク（ＤＬ）サブフレ−ムでＭＡＰメッセ−ジを送信するための手段と、
待機モ−ドまたは休止モ−ドにある移動局にデ−タバ−ストを割り当てるためにＳＵＢ−ＤＬ−ＵＬ−ＭＡＰメッセ−ジのみを用いるための手段と、
バ−ストが前記現フレ−ム内に割り当てられ済みの、待機モ−ドまたは休止モ−ドにあるすべての前記移動局に対し、単一のポインタ情報要素（ＩＥ）のみを用いるための手段と、
前記ポインタＩＥを前記ＭＡＰメッセ−ジの前記第１のＩＥとして送信するための手段と、
を備えた基地局。
【請求項２５】
前記ＭＡＰメッセ−ジは、圧縮ＤＬ  ＭＡＰメッセ−ジである、請求項２４に記載の基地局。
【請求項２６】
前記ポインタＩＥは、ＳＵＢ−ＭＡＰポインタＩＥである、請求項２４に記載の基地局。
【請求項２７】
移動局において電池電力節約を容易にするための計算機プログラム製品であって、前記計算機プログラム製品は命令を媒体上に有する計算機可読媒体を含み、前記命令は、
ＳＵＢ−ＭＡＰポインタ情報要素（ＩＥ）を含むＭＡＰメッセ−ジを受信するためのコ−ドと、
前記ＳＵＢ−ＭＡＰポインタＩＥ内の待機ユ−ザビット、および前記ＳＵＢ−ＭＡＰポインタＩＥ内の休止ユ−ザビットの少なくとも１つの前記値を決定することにより前記移動局に割り当てられたバ−ストが前記現フレ−ム内にあるかどうかを決定するためのコ−ドと、
前記移動局に割り当てられたバ−ストが前記現フレ−ム内に無い場合、前記ＭＡＰメッセ−ジの処理を中止するためと前記移動局の１つまたは複数の構成要素の電力を落とすためとのコ−ドと、
を含む、計算機プログラム製品。
【請求項２８】
前記待機ユ−ザビットの前記位置および前記休止ユ−ザビットの前記位置は、前記移動局によってあらかじめ知られている、請求項２７に記載の計算機プログラム製品。
【請求項２９】
前記待機ユ−ザビットおよび前記休止ユ−ザビットの少なくとも１つの前記値を決定することは、パタ−ンマッチングを含む、請求項２７に記載の計算機プログラム製品。
【請求項３０】
移動局による電池電力節約を容易にするためにＭＡＰメッセ−ジを送信するための計算機プログラム製品であって、前記計算機プログラム製品は命令を媒体上に有する計算機可読媒体を含み、前記命令は、
現フレ−ムのダウンリンク（ＤＬ）サブフレ−ムでＭＡＰメッセ−ジを送信するためのコ−ドと、
待機モ−ドまたは休止モ−ドにある移動局にデ−タバ−ストを割り当てるためにＳＵＢ−ＤＬ−ＵＬ−ＭＡＰメッセ−ジのみを用いるためのコ−ドと、
バ−ストが前記現フレ−ム内に割り当てられ済みの、待機モ−ドまたは休止モ−ドにあるすべての前記移動局に対し、単一のポインタ情報要素（ＩＥ）のみを用いるためのコ−ドと、
前記ポインタＩＥを前記ＭＡＰメッセ−ジの前記第１のＩＥとして送信するためのコ−ドと、
を含む、計算機プログラム製品。
【請求項３１】
前記ＭＡＰメッセ−ジは、圧縮ＤＬ  ＭＡＰメッセ−ジである、請求項３０に記載の計算機プログラム製品。
【請求項３２】
前記ポインタＩＥは、ＳＵＢ−ＭＡＰポインタＩＥである、請求項３０に記載の計算機プログラム製品。
【発明の詳細な説明】
【技術分野】
【０００１】
本開示は一般に無線通信システムに関する。より詳細には、本開示は移動局における電池電力節約のための方法および装置に関する。
【背景技術】
【０００２】
無線通信デバイスは消費者ニ−ズを満足し、携帯性と利便性を向上するために、より小型に、より強力になってきた。消費者は携帯電話（cellular telephones）、携帯情報端末（ＰＤＡ）、ラップトップコンピュ−タおよび同様のもののような無線通信デバイスに依存するようになってきた。消費者は信頼性のあるサ−ビス、拡大したカバレッジエリアおよび増加した機能を予期するようになってきた。無線通信デバイスは移動局、加入者局、アクセス端末、リモ−ト局、ユ−ザ端末、端末、加入者ユニット、ユ−ザ機器などと呼ばれ得る。ここでは用語「移動局」が用いられるだろう。
【０００３】
無線通信システムは多くのセルに対して通信を提供でき、セルの各々は基地局によってサ−ビスされ得る。基地局は、移動局と交信する固定局であり得る。固定局は、代替的には、アクセスポイント、ノ−ドＢまたは他の用語で呼ばれ得る。
【０００４】
移動局はアップリンクおよびダウンリンクでの伝送を介して１つまたは複数の基地局と交信し得る。アップリンク（または、逆方向リンク）は移動局から基地局への通信リンクを言い、ダウンリンク（または、準方向リンク）は基地局から移動局への通信リンクを言う。無線通信システムは複数の移動局に対する通信を同時にサポ−ト可能である。
【０００５】
無線通信システムは利用可能なシステム資源（例えば帯域幅および送信電力）を共有することによって、複数ユ−ザとの交信のサポ−トが可能な多元接続システムであり得る。そのような多元接続システムの例は符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【図面の簡単な説明】
【０００６】
【図１】図１は、本開示に従って電池電力節約のための方法を実施するように構成され得る基地局および移動局を例示する図である。
【図２】図２は、所定の規則に従って基地局がいかにしてＭＡＰメッセ−ジを送信し得るかを示す方法を例示する図である。
【図３】図３は、図２の方法に対応する手段プラス機能ブロックを例示する図である。
【図４】図４は、本開示に従って電池電力を節約するための方法を例示する図である。
【図５】図５は、図４の方法に対応する手段プラス機能ブロックを例示する図である。
【図６】図６は、ダウンリンクサブフレ−ムの一例を例示する図である。
【図７】図７は、ＳＵＢ−ＭＡＰポインタＩＥの構造の一例を例示する図である。
【図８】図８は、無線デバイスにおいて利用され得る種々の構成要素を例示する図である。
【詳細な説明】
【０００７】
本開示の方法および装置は広帯域無線通信システムにおいて利用され得る。用語「広帯域無線」は無線、音声、インタ−ネットおよび／またはデ−タネットワ−クアクセスを所与のエリア上に提供する技術を言う。
【０００８】
米国電気電子学会（ＩＥＥＥ）８０２．１６、広帯域無線アクセス規格に関する作業班は、広帯域無線メトロポリタンエリアネットワ−クの全世界的展開のための公式仕様書を作成することを目指している。規格の８０２．１６ファミリ−は無線ＭＡＮと公式には呼ばれるが、それは、ＷｉＭＡＸフォ−ラムと呼ばれる業界グル−プによって（マイクロ波アクセスのためのワ−ルドワイド相互運用性を表す）「ＷｉＭＡＸ」と呼ばれてきた。したがって、用語「ＷｉＭＡＸ」は、長距離にわたる高スル−プット広帯域接続を提供する規格ベ−スの広帯域無線技術を言う。
【０００９】
今日、ＷｉＭＡＸの２つの主要なアプリケ−ション、固定ＷｉＭＡＸとモバイルＷｉＭＡＸ、がある。固定ＷｉＭＡＸアプリケ−ションは家庭およびビジネスへの広帯域アクセスを可能にするポイントツ−マルチポイントである。モバイルＷｉＭＡＸは広帯域の速度でセルラネットワ−クの完全なモビリティを提供する。
【００１０】
ここに説明する例のいくつかはＷｉＭＡＸ規格に従って構成される無線通信システムに関連する。しかし、これらの例は本開示の範囲を限定するとして解釈されるべきではない。
【００１１】
モバイルＷｉＭＡＸはＯＦＤＭ（直交周波数分割多重）とＯＦＤＭＡ（直交周波数分割多元接続）技術に基づく。ＯＦＤＭは、種々の高デ−タレ−ト通信システムへの広い採用が最近見出されているディジタルマルチキャリア変調方法である。ＯＦＤＭにより、送信ビットストリ−ムは複数のより低い伝送速度のサブストリ−ムに分割される。各サブストリ−ムは複数の直交サブキャリアの１つで変調され、複数の並列サブチャネルの１つで送られる。ＯＦＤＭＡはユ−ザが、異なるタイムスロットにあるサブキャリアを割り当てられる多元接続方法である。ＯＦＤＭＡは、広範な種々のアプリケ−ション、デ−タレ−ト、およびサ−ビス品質要求を持つ多くのユ−ザに適合できる柔軟性のある多元接続方法である。
【００１２】
モバイルＷｉＭＡＸにおいて、スロットはユ−ザに帯域幅を割り当てるための最小単位である。スロットは１スロット期間にわたるサブチャネル（すなわちサブキャリアのグル−プ）を言う（すなわち特定のシンボル数）。バ−ストは同じ変調および符号化方式を有する１つまたは複数の連続スロットの割当である。
【００１３】
用語「フレ−ム」は、ここに用いられる場合には、一定長の時間間隔を言う。モバイルＷｉＭＡＸは時分割複信（ＴＤＤ）動作をサポ−トする。ＴＤＤ実施において、各フレ−ムはダウンリンク（ＤＬ）とアップリンク（ＵＬ）のサブフレ−ムに分割される。制御情報はフレ−ムの期間に伝送される。制御情報は各フレ−ムの始めのＭＡＰメッセ−ジのフォ−マット内にある。ＭＡＰメッセ−ジはＤＬおよびＵＬ割当を定義する。
【００１４】
いくつかの異なる形式のＭＡＰメッセ−ジが定義される。これらはＤＬ−ＭＡＰメッセ−ジ、ＵＬ−ＭＡＰメッセ−ジ、圧縮ＤＬ  ＭＡＰメッセ−ジおよび圧縮ＵＬ  ＭＡＰメッセ−ジ、並びにＳＵＢ−ＤＬ−ＵＬ−ＭＡＰメッセ−ジを含む。
【００１５】
モバイルＷｉＭＡＸ規格に従って、圧縮ＤＬ  ＭＡＰメッセ−ジはＳＵＢ−ＭＡＰポインタ情報要素（ＩＥ）を含み得る。ＳＵＢ−ＭＡＰポインタＩＥは、受信する移動局にバ−ストを割り当てることが可能であるＳＵＢ−ＤＬ−ＵＬ−ＭＡＰメッセ−ジを含むＤＬサブフレ−ム内の位置を指すことが可能である。
【００１６】
モバイルＷｉＭＡＸ規格（ＩＥＥＥ  ８０２．１６ｅ）に従って、移動局は休止モ−ドまたは待機モ−ドにあり得る。移動局が休止モ−ドにあるとき、その移動局は、電池電力を節約するために、（複数の）トラヒック接続を維持しながら、１つまたは複数の物理的構成要素の電力を落とす。移動局が待機モ−ドにあるとき、その移動局は、（複数の）トラヒック接続を解放済みである。したがって待機モ−ドは、「深い」休止と見なされ得る。
【００１７】
移動局が休止モ−ドまたは待機モ−ドにあるとき、移動局宛の媒体アクセス制御（ＭＡＣ）管理メッセ−ジまたはデ−タトラヒックがあるかどうかを知るために、すべてのＤＬ  ＭＡＰ、圧縮ＭＡＰおよびＳＵＢ−ＤＬ−ＵＬ−ＭＡＰメッセ−ジを監視するために、移動局は定期的に受信可能になる。しかし、ＭＡＰおよびＳＵＢ−ＭＡＰメッセ−ジのすべてを全体として処理することは、著しい量の電池電力を消費し得る。
【００１８】
モバイルＷｉＭＡＸ規格は、ＳＵＢ−ＭＡＰポインタＩＥによって指される対応するＳＵＢ−ＤＬ−ＵＬ−ＭＡＰメッセ−ジによって割り当てられたバ−ストが、休止モ−ドにある移動局に対する現フレ−ム内にあるかどうかを示すために、圧縮ＤＬ  ＭＡＰメッセ−ジのＳＵＢ−ＭＡＰポインタＩＥ内に１ビットを定義している。このビットは、ここでは休止ユ−ザビットと呼ばれ得る。休止ユ−ザビットが第１の値（例えば、「１」）の場合、この休止ユ−ザビットを含む対応するＳＵＢ−ＭＡＰポインタＩＥによって指されるＳＵＢ−ＤＬ−ＵＬ−ＭＡＰメッセ−ジが、休止モ−ドにある移動局に割り当てた１つまたは複数のバ−ストが現フレ−ム内にある。休止ユ−ザビットが第２の値（例えば、「０」）の場合、この休止ユ−ザビットを含む対応するＳＵＢ−ＭＡＰポインタＩＥによって指されるＳＵＢ−ＤＬ−ＵＬ−ＭＡＰメッセ−ジが、休止モ−ドにある移動局に割り当てたいかなるバ−ストも現フレ−ム内に無い。
【００１９】
同様に、モバイルＷｉＭＡＸ規格は、ＳＵＢ−ＭＡＰポインタＩＥによって指される対応するＳＵＢ−ＤＬ−ＵＬ−ＭＡＰメッセ−ジによって割り当てられたバ−ストが、待機モ−ドにある移動局に対する現フレ−ム内にあるかどうかを示すために、圧縮ＤＬ  ＭＡＰメッセ−ジのＳＵＢ−ＭＡＰポインタＩＥ内に１ビットを定義している。このビットは、ここでは待機ユ−ザビットと呼ばれ得る。待機ユ−ザビットが第１の値（例えば、「１」）の場合、この待機ユ−ザビットを含む対応するＳＵＢ−ＭＡＰポインタＩＥによって指されるＳＵＢ−ＤＬ−ＵＬ−ＭＡＰメッセ−ジが、待機モ−ドにある移動局に割り当てた１つまたは複数のバ−ストが現フレ−ム内にある。待機ユ−ザビットが第２の値（例えば、「０」）の場合、この待機ユ−ザビットを含む対応するＳＵＢ−ＭＡＰポインタＩＥによって指されるＳＵＢ−ＤＬ−ＵＬ−ＭＡＰメッセ−ジが、待機モ−ドにある移動局に割り当てたいかなるバ−ストも現フレ−ム内に無い。
【００２０】
本開示は移動局が電池電力を節約することを可能にするための手法に関する。より詳細には、本開示は休止モ−ドまたは待機モ−ドにある移動局が、その移動局に割り当てられたバ−ストが現フレ−ム内にあるかどうかを迅速に決定することを可能にするための方法を提案する。有利には、移動局に割り当てられたバ−ストが現フレ−ム内にない場合、その移動局はすべてのＭＡＰおよびＳＵＢ−ＭＡＰメッセ−ジについての長いソフトウェア処理時間を要し得る解析を、完全に行う必要なしに休止に戻ることが可能であり得る。
【００２１】
移動局において電池電力を節約するための方法が開示される。本方法は移動局によって実施され得る。本方法は、ＳＵＢ−ＭＡＰポインタ情報要素（ＩＥ）を含むＭＡＰメッセ−ジを受信することを含み得る。また、本方法は、ＳＵＢ−ＭＡＰポインタＩＥ内の待機ユ−ザビットおよびＳＵＢ−ＭＡＰポインタＩＥ内の休止ユ−ザビットの少なくとも１つの値を決定することにより移動局に割り当てられたバ−ストが現フレ−ム内にあるかどうかを決定することも含み得る。また、本方法は、移動局に割り当てられたバ−ストが現フレ−ム内に無い場合、ＭＡＰメッセ−ジの処理を中止することと移動局の１つまたは複数の構成要素の電力を落とすこととを含み得る。
【００２２】
また、移動局による電池電力節約を容易にするためのＭＡＰメッセ−ジを送信するための方法が開示される。本方法は、現フレ−ムのダウンリンク（ＤＬ）サブフレ−ム内のＭＡＰメッセ−ジを送信することを含み得る。また、本方法は、待機モ−ドまたは休止モ−ドにある移動局にデ−タバ−ストを割り当てるためにＳＵＢ−ＤＬ−ＵＬ−ＭＡＰメッセ−ジのみを用いることも含み得る。また、本方法は、現フレ−ム内にバ−ストが割り当てられ済みの、待機モ−ドまたは休止モ−ドにあるすべての移動局に対し、単一のＳＵＢ−ＭＡＰポインタ情報要素（ＩＥ）のみを用いることも含み得る。また、本方法は、ＭＡＰメッセ−ジ内の第１のＩＥとして、ＳＵＢ−ＭＡＰポインタＩＥを送信することも含み得る。
【００２３】
電池電力を節約するように構成された移動局も開示される。移動局はＳＵＢ−ＭＡＰポインタ情報要素（ＩＥ）を含むＭＡＰメッセ−ジを受信するように構成された受信機を含み得る。また、移動局はＳＵＢ−ＭＡＰポインタＩＥ内の待機ユ−ザビットおよびＳＵＢ−ＭＡＰポインタＩＥ内の休止ユ−ザビットの少なくとも１つの値を決定することにより移動局に割り当てられたバ−ストが現フレ−ム内にあるかどうかを決定するように構成された復号器も含み得る。移動局に割り当てられたバ−ストが現フレ−ム内に無い場合、移動局は、ＭＡＰメッセ−ジの処理を中止し移動局の１つまたは複数の構成要素の電力を落とし得る。
【００２４】
また、移動局による電池電力節約を容易にするためにＭＡＰメッセ−ジを送信するように構成された基地局も開示される。本基地局はプロセッサと、プロセッサと電子交信するメモリ−と、メモリ−に格納された命令とを含む。命令は、現フレ−ムのダウンリンク（ＤＬ）サブフレ−ム内のＭＡＰメッセ−ジを送信するように実行可能であり得る。また、命令は、待機モ−ドまたは休止モ−ドにある移動局にデ−タバ−ストを割り当てるためにＳＵＢ−ＤＬ−ＵＬ−ＭＡＰメッセ−ジのみを用いるように実行可能であり得る。また、命令は、現フレ−ム内にバ−ストが割り当てられ済みの、待機モ−ドまたは休止モ−ドにあるすべての移動局に対し、単一のＳＵＢ−ＭＡＰポインタ情報要素（ＩＥ）のみを用いるように実行可能であり得る。また、命令はＭＡＰメッセ−ジ内の第１のＩＥとして、ＳＵＢ−ＭＡＰポインタＩＥを送信するように実行可能であり得る。
【００２５】
電池電力を節約するように構成された移動局も開示される。移動局はＳＵＢ−ＭＡＰポインタ情報要素（ＩＥ）を含むＭＡＰメッセ−ジを受信するための手段を含み得る。また、移動局は、ＳＵＢ−ＭＡＰポインタＩＥ内の待機ユ−ザビットおよびＳＵＢ−ＭＡＰポインタＩＥ内の休止ユ−ザビットの少なくとも１つの値を決定することにより移動局に割り当てられたバ−ストが現フレ−ム内にあるかどうかを決定するための手段も含み得る。また、移動局は、移動局に割り当てられたバ−ストが現フレ−ム内に無い場合、ＭＡＰメッセ−ジの処理を中止するためと移動局の１つまたは複数の構成要素の電力を落とすためとの手段も含み得る。
【００２６】
また、移動局による電池電力節約を容易にするためにＭＡＰメッセ−ジを送信するように構成された基地局も開示される。本基地局は現フレ−ムのダウンリンク（ＤＬ）サブフレ−ム内のＭＡＰメッセ−ジを送信するための手段を含み得る。また、本基地局は待機モ−ドまたは休止モ−ドにある移動局にデ−タバ−ストを割り当てるためにＳＵＢ−ＤＬ−ＵＬ−ＭＡＰメッセ−ジのみを用いるための手段も含み得る。また、本基地局は現フレ−ム内にバ−ストが割り当てられ済みの、待機モ−ドまたは休止モ−ドにあるすべての移動局に対し、単一のＳＵＢ−ＭＡＰポインタ情報要素（ＩＥ）のみを用いるための手段も含み得る。また、本基地局は、ＭＡＰメッセ−ジ内の第１のＩＥとして、ＳＵＢ−ＭＡＰポインタＩＥを送信するための手段も含み得る。
【００２７】
また、移動局における電池電力節約を容易にするための計算機プログラム製品も開示される。この計算機プログラム製品は媒体上に命令を有する計算機可読媒体を含む。命令はＳＵＢ−ＭＡＰポインタ情報要素（ＩＥ）を含むＭＡＰメッセ−ジを受信するためのコ−ドを含み得る。また、命令はＳＵＢ−ＭＡＰポインタＩＥ内の待機ユ−ザビット、およびＳＵＢ−ＭＡＰポインタＩＥ内の休止ユ−ザビットの少なくとも１つの値を決定することにより移動局に割り当てられたバ−ストが現フレ−ム内にあるかどうかを決定するためのコ−ドも含み得る。また、命令は移動局に割り当てられたバ−ストが現フレ−ム内に無い場合、ＭＡＰメッセ−ジの処理を中止し移動局の１つまたは複数の構成要素の電力を落とすためのコ−ドも含み得る。
【００２８】
また、移動局による電池電力節約を容易にするためにＭＡＰメッセ−ジを送信するための計算機プログラム製品も開示される。この計算機プログラム製品は媒体上に命令を有する計算機可読媒体を含む。命令は現フレ−ムのダウンリンク（ＤＬ）サブフレ−ム内のＭＡＰメッセ−ジを送信するためのコ−ドを含み得る。また、命令は待機モ−ドまたは休止モ−ドにある移動局にデ−タバ−ストを割り当てるためにＳＵＢ−ＤＬ−ＵＬ−ＭＡＰメッセ−ジのみを用いるためのコ−ドも含み得る。また、命令は現フレ−ム内にバ−ストが割り当てられ済みの、待機モ−ドまたは休止モ−ドにあるすべての移動局に対し、単一のＳＵＢ−ＭＡＰポインタ情報要素（ＩＥ）のみを用いるためのコ−ドも含み得る。また、命令は、ＭＡＰメッセ−ジ内の第１のＩＥとして、ＳＵＢ−ＭＡＰポインタＩＥを送信するためのコ−ドも含み得る。
【００２９】
図１を参照すると、移動局１０４と電子交信する基地局１０２が示されている。基地局１０２と移動局１０４間の通信はモバイルＷｉＭＡＸ規格に従って起こり得る。
【００３０】
移動局１０４はトラヒックモ−ドに加えて休止モ−ドまたは待機モ−ドで動作し得るように構成され得る。上で示したように、移動局１０４が休止モ−ドにあるとき、その移動局１０４は、電池電力を節約するために、（複数の）トラヒック接続を維持しながら、１つまたは複数の物理的構成要素の電力を落とす。移動局１０４が待機モ−ドにあるとき、その移動局１０４は、（複数の）トラヒック接続を解放済みである。
【００３１】
移動局１０４を、待機モ−ドへの移行および待機モ−ドでの動作のための構成要素１２０と共に示す。また、移動局１０４を休止モ−ドへの移行および休止モ−ドでの動作のための構成要素１２２と共に示す。これらの構成要素１２０、１２２はソフトウェアとハ−ドウェア部品の組合せを含み得る。
【００３２】
モバイルＷｉＭＡＸ規格に従って、ＭＡＰメッセ−ジの形式の制御情報は各フレ−ムの始めに送信され得る。ＭＡＰメッセ−ジはＤＬおよびＵＬ割当を定義する。圧縮ＤＬ  ＭＡＰメッセ−ジ１０８を含み、いくつかの異なる形式のＭＡＰメッセ−ジが定義される。図１には、圧縮ＤＬ  ＭＡＰメッセ−ジ１０８が基地局１０２から移動局１０４へ送信中であることを示す。圧縮ＤＬ  ＭＡＰメッセ−ジ１０８はダウンリンクサブフレ−ムの間に送信され得る。
【００３３】
圧縮ＤＬ  ＭＡＰメッセ−ジ１０８はＳＵＢ−ＭＡＰポインタ情報要素（ＩＥ）１１２を含み得る。ＳＵＢ−ＭＡＰポインタＩＥ  １１２は、受信する移動局１０４にバ−ストを割り当てることが可能であるＳＵＢ−ＤＬ−ＵＬ−ＭＡＰメッセ−ジを含むＤＬサブフレ−ム内の位置を指すことが可能である。
【００３４】
モバイルＷｉＭＡＸ規格は、ＳＵＢ−ＭＡＰポインタＩＥ  １１２によって指される対応するＳＵＢ−ＤＬ−ＵＬ−ＭＡＰメッセ−ジによって割り当てられたバ−ストが、待機モ−ドにある移動局１０４に対する現フレ−ム内にあるかどうかを示すために、圧縮ＤＬ  ＭＡＰメッセ−ジ１０８のＳＵＢ−ＭＡＰポインタＩＥ  １１２内に１ビット１１４を定義している。このビット１１４は、ここでは待機ユ−ザビット１１４と呼ばれ得る。
【００３５】
モバイルＷｉＭＡＸ規格は、ＳＵＢ−ＭＡＰポインタＩＥ  １１２によって指される対応するＳＵＢ−ＤＬ−ＵＬ−ＭＡＰメッセ−ジによって割り当てられたバ−ストが、休止モ−ドにある移動局１０４に対する現フレ−ム内にあるかどうかを示すために、圧縮ＤＬ  ＭＡＰメッセ−ジ１０８のＳＵＢ−ＭＡＰポインタＩＥ  １１２内に１ビット１１６を定義している。このビット１１６は、ここでは休止ユ−ザビット１１６と呼ばれ得る。
【００３６】
基地局１０２は、基地局１０２が圧縮ＤＬ  ＭＡＰメッセ−ジ１０８のようなＭＡＰメッセ−ジをどのように送信するかを支配する特定の規則１０６に従って基地局が動作するように構成され得る。これらの規則１０６は、ここではＭＡＰ送信規則１０６と呼ばれ得る。ＭＡＰ送信規則１０６に従ってＭＡＰメッセ−ジを送信することにより、基地局１０２は移動局１０４が一定の状況において電池電力を節約することを可能にし得る。
【００３７】
ＭＡＰ送信規則１０６に従って、基地局１０２は休止モ−ドまたは待機モ−ドにある移動局１０４に（複数の）デ−タバ−ストを割り当てるためにＳＵＢ−ＤＬ−ＵＬ−ＭＡＰメッセ−ジのみを用いる。言い換えれば、基地局１０２は（複数の）デ−タバ−ストを割り当てるために標準のＤＬ  ＭＡＰメッセ−ジまたは圧縮ＤＬ  ＭＡＰメッセ−ジ１０８を用いない。代わりに、基地局１０２はＳＵＢ−ＭＡＰポインタＩＥなどのような他の制御情報を送信するために、圧縮ＤＬ  ＭＡＰメッセ−ジを用いるのみである。さらに、基地局１０２は休止モ−ドまたは待機モ−ドにある移動局１０４に対し１個の単一ＳＵＢ−ＭＡＰポインタＩＥ  １１２を用いるのみである。さらに、基地局１０２は圧縮ＤＬ  ＭＡＰメッセ−ジ１０８内の第１のＩＥとして、休止モ−ドまたは待機モ−ドにある移動局１０４に対しＳＵＢ−ＭＡＰポインタＩＥ  １１２を送信する。
【００３８】
基地局１０２がＭＡＰ送信規則１０６に従う場合、待機ユ−ザビット１１４は圧縮ＤＬ  ＭＡＰメッセ−ジ１０８の同じ位置に常にあるであろうし、また、休止ユ−ザビット１１６も圧縮ＤＬ  ＭＡＰメッセ−ジ１０８の同じ位置に常にあるであろう。言い換えれば、待機ユ−ザビット１１４および休止ユ−ザビット１１６の位置はあらかじめ移動局１０４によって知られている。
【００３９】
例えば、ＷｉＭＡＸ規格の現行版に従って、圧縮ＤＬ  ＭＡＰメッセ−ジ１０８には第１のＩＥ  １１２の前に８８ビットある。ＳＵＢ−ＭＡＰポインタＩＥ  １１２には、待機ユ−ザビット１１４の前に２８ビットある。休止ユ−ザビット１１６は待機ユ−ザビット１１４の直後に位置する。したがって、ＷｉＭＡＸ規格の現行版に従って、待機ユ−ザビット１１４は圧縮ＤＬ  ＭＡＰメッセ−ジ１０８内の８８＋２８＋１＝１１７に常に位置するであろう。休止ユ−ザ１１６は圧縮ＤＬ  ＭＡＰメッセ−ジ１０８内のビット８８＋２８＋２＝１１８に常に位置するであろう。
【００４０】
待機ユ−ザビット１１４および休止ユ−ザビット１１６が圧縮ＤＬ  ＭＡＰメッセ−ジ１０８の同じ位置に常にある場合、移動局１０４はこれらのビット１１４、１１６の値を迅速に決定し得る。実際上、待機ユ−ザビット１１４の値および／または休止ユ−ザビット１１６の値はハ−ドウェアで決定され得る。例えば、移動局１０４はハ−ドウェア復号器１１８を含み得る。ハ−ドウェア復号器１１８は、待機ユ−ザビット１１４および／または休止ユ−ザビット１１６の値を決定するために、圧縮ＤＬ  ＭＡＰメッセ−ジ１０８に関してパタ−ンマッチングを実行し得る。
【００４１】
移動局１０４が待機モ−ドまたは休止モ−ドにある場合、移動局１０４はすべてのＭＡＰおよびＳＵＢ−ＭＡＰメッセ−ジを全体として処理することなく、待機ユ−ザビット１１４および／または休止ユ−ザビット１１６の値を決定し得る。このことは、現フレ−ム内に移動局１０４に割り当てられているいかなるバ−ストも無い場合、有益であり得る。この場合、移動局１０４はすべてのＭＡＰおよびＳＵＢ−ＭＡＰメッセ−ジを全体として処理されなければならない場合より早く休止に戻り得る（すなわち、１つまたは複数の物理的構成要素の電力を落とし得る）。このことは、移動局１０４に対して電池電力の節約の向上になり得る。
【００４２】
図１において、移動局１０４はハ−ドウェア復号器１１８と共に示されるが、待機ユ−ザビット１１４および／または休止ユ−ザビット１１６の値がハ−ドウェアで決定される必要はない。待機ユ−ザビット１１４および／または休止ユ−ザビット１１６の値は、代替的にソフトウェアで決定され得る。しかし、ハ−ドウェアベ−スの実施がソフトウェアベ−スの実施より大きい利点（例えば、速度）を提供し得ると想定される。
【００４３】
図２は、いかにして基地局１０２がＭＡＰ送信規則１０６に従ってＭＡＰメッセ−ジを送信し得るかを示す方法２００を例示する。ＭＡＰ送信規則１０６に従ってＭＡＰメッセ−ジを送信することにより、基地局１０２は、移動局１０４が電池電力を節約することを可能にし得る。
【００４４】
ＭＡＰ送信規則１０６に従って、基地局１０２は、２０２において、休止モ−ドまたは待機モ−ドにある移動局１０４に（複数の）デ−タバ−ストを割り当てるためにＳＵＢ−ＤＬ−ＵＬ−ＭＡＰメッセ−ジのみを用いる。言い換えれば、基地局１０２は（複数の）デ−タバ−ストを割り当てるために標準のＤＬ  ＭＡＰメッセ−ジまたは圧縮ＤＬ  ＭＡＰメッセ−ジ１０８を用いない。さらに、基地局１０２は、２０４において、休止モ−ドまたは待機モ−ドにある移動局１０４に１個の単一のＳＵＢ−ＭＡＰポインタＩＥ  １１２のみを用いる。さらに、基地局１０２は、２０６において、圧縮ＤＬ  ＭＡＰメッセ−ジ１０８内の第１のＩＥとして休止モ−ドまたは待機モ−ドにある移動局１０４に対しＳＵＢ−ＭＡＰポインタＩＥ  １１２を送信する。
【００４５】
上で説明した図２の方法２００は、図３に例示する手段プラス機能ブロック３００に対応する種々の（複数の）ハ−ドウェアおよび／または（複数の）モジュ−ルによって実行され得る。言い換えれば、図２に例示するブロック２０２乃至２０６は図３に例示するブロック３０２乃至３０６に対応する。
【００４６】
図４に本開示に従う電池電力節約のための方法４００を例示する。より詳細には、図４はいかにして移動局１０４が本開示に従ってＭＡＰメッセ−ジを処理し得るかを例示する。
【００４７】
図示された方法４００に従って、移動局１０４は、４０２において、それが待機モ−ドまたは休止モ−ドにあるかを判定し得る。移動局１０４が４０２で待機モ−ドにあると判定される場合、移動局１０４は、４０４において、圧縮ＤＬ  ＭＡＰメッセ−ジ１０８内の待機ユ−ザビット１１４の値を決定し得る。
【００４８】
基地局１０２がＭＡＰ送信規則１０６に従ってＭＡＰメッセ−ジを送信する場合、待機ユ−ザビット１１４は、待機ユ−ザビット１１４の位置があらかじめ移動局１０４によって知られるように、圧縮ＤＬ  ＭＡＰメッセ−ジ１０８の同じ位置に常にある。したがって、移動局１０４は、４０４において、圧縮ＤＬ  ＭＡＰメッセ−ジ１０８に関してパタ−ンマッチングを実行することにより、待機ユ−ザビット１１４の値を迅速に決定し得る。より詳細には、移動局１０４は待機ユ−ザビット１１４に対応する圧縮ＤＬ  ＭＡＰメッセ−ジ１０８の、特定のおよび予め定められた位置を調べ得る。このパタ−ンマッチングはハ−ドウェアで（例えば、ハ−ドウェア復号器１１８を介して）実施され得る。代替的には、このパタ−ンマッチングはソフトウェアで実施され得る。
【００４９】
待機ユ−ザビット１１４が第１の値（例えば、「１」）の場合、待機モ−ドにある移動局１０４に割り当てられた１つまたは複数のバ−ストが現フレ−ム内にはある。待機ユ−ザビット１１４が第２の値（例えば、「０」）の場合、待機モ−ドにある移動局１０４に割り当てられたいかなるバ−ストも現フレ−ム内には無い。
【００５０】
４０６において、待機ユ−ザビット１１４が、待機モ−ドにある移動局１０４に割り当てられたいかなるバ−ストも現フレ−ム内に無いことを示す場合、移動局１０４は、４０８において、休止になり得る。移動局１０４は、４０８において、すべてのＭＡＰおよびＳＵＢ−ＭＡＰメッセ−ジを全体として処理することなく直ちに休止になり得る。しかし、４０６において、待機ユ−ザビット１１４の値が、待機モ−ドにある移動局１０４に割り当てられた１つまたは複数のバ−ストが現フレ−ム内にあることを示す場合、移動局１０４は休止に行くことなく、４１０において、ダウンリンクサブフレ−ムの処理を続行し得る。
【００５１】
４０２において移動局１０４が休止モ−ドにあると判定された場合、移動局１０４は、４１２において、圧縮ＤＬ  ＭＡＰメッセ−ジ１０８内の休止ユ−ザビット１１６の値を決定し得る。
【００５２】
基地局１０２がＭＡＰ送信規則１０６に従ってＭＡＰメッセ−ジを送信する場合、休止ユ−ザビット１１６は、休止ユ−ザビット１１６の位置があらかじめ移動局１０４によって知られるように、圧縮ＤＬ  ＭＡＰメッセ−ジ１０８の同じ位置に常にある。したがって、移動局１０４は、４１２において、圧縮ＤＬ  ＭＡＰメッセ−ジ１０８に関してパタ−ンマッチングを実行することにより、休止ユ−ザビット１１６の値を迅速に決定し得る。より詳細には、移動局１０４は休止ユ−ザビット１１６に対応する圧縮ＤＬ  ＭＡＰメッセ−ジ１０８の特定の、および予め定められた位置を調べ得る。このパタ−ンマッチングはハ−ドウェアで（例えば、ハ−ドウェア復号器１１８を介して）実施され得る。代替的には、このパタ−ンマッチングはソフトウェアで実施され得る。
【００５３】
休止ユ−ザビット１１６が第１の値（例えば、「１」）の場合、休止モ−ドにある移動局１０４に割り当てられた１つまたは複数のバ−ストが現フレ−ム内にはある。休止ユ−ザビット１１６が第２の値（例えば、「０」）の場合、休止モ−ドにある移動局１０４に割り当てられたいかなるバ−ストも現フレ−ム内には無い。
【００５４】
４１４において、休止ユ−ザビット１１６が、休止モ−ドにある移動局１０４に割り当てられたいかなるバ−ストも現フレ−ム内に無いことを示す場合、移動局１０４は、４１６において、休止になり得る。移動局１０４は、すべてのＭＡＰおよびＳＵＢ−ＭＡＰメッセ−ジを全体として処理することなく、４１６において、直ちに休止になり得る。しかし、４１４において、休止ユ−ザビット１１６の値が、休止モ−ドにある移動局１０４に割り当てられた１つまたは複数のバ−ストが現フレ−ム内にあることを示す場合、移動局１０４は休止に行くことなく、４１８において、ダウンリンクサブフレ−ムの処理を続行し得る。
【００５５】
上で説明した図４の方法４００は、図５に例示する手段プラス機能ブロック５００に対応する種々の（複数の）ハ−ドウェアおよび／または（複数の）モジュ−ルによって実行され得る。言い換えれば、図４に例示するブロック４０２乃至４１８は図５に例示する手段プラス機能ブロック５０２乃至５１８に対応する。
【００５６】
図６は、ダウンリンク（ＤＬ）サブフレ−ム６２４の例を例示する。ＤＬサブフレ−ム６２４はプリアンブル６２６およびフレ−ム制御ヘッダ（ＦＣＨ）６２８を含み得る。また、ＤＬサブフレ−ム６２４は圧縮ＤＬ  ＭＡＰメッセ−ジ６０８および圧縮ＵＬ  ＭＡＰメッセ−ジ６３２を含み得る。圧縮ＤＬ  ＭＡＰメッセ−ジ６０８は最大３つのＳＵＢ−ＭＡＰポインタＩＥ  ６１２ａ乃至ｃを含み得る。ＳＵＢ−ＭＡＰポインタＩＥ  ６１２は、受信する１つまたは複数の移動局１０４に１つまたは複数のバ−ストを割り当てることが可能であるＳＵＢ−ＤＬ−ＵＬ−ＭＡＰメッセ−ジ６３０を含むＤＬサブフレ−ム６２４内の位置を指すことが可能である。図６に示す例において、第１のＳＵＢ−ＭＡＰポインタＩＥ  ６１２ａは第１のＳＵＢ−ＤＬ−ＵＬ−ＭＡＰメッセ−ジ６３０ａを指し、第２のＳＵＢ−ＭＡＰポインタＩＥ  ６１２ｂは第２のＳＵＢ−ＤＬ−ＵＬ−ＭＡＰメッセ−ジ６３０ｂを指し、第３のＳＵＢ−ＭＡＰポインタＩＥ  ６１２ｃは第３のＳＵＢ−ＤＬ−ＵＬ−ＭＡＰメッセ−ジ６３０ｃを指す。
【００５７】
本開示に従って、基地局１０２は休止モ−ドまたは待機モ−ドにある移動局１０４に対し１個の単一ＳＵＢ−ＭＡＰポインタＩＥ  ６１２を用いるのみである。さらに、基地局１０２は、休止モ−ドまたは待機モ−ドにある移動局１０４に対するＳＵＢ−ＭＡＰポインタＩＥ  ６１２を、圧縮ＤＬ  ＭＡＰメッセ−ジ６０８内の（図６で強調表示されている）第１のＩＥ  ６１２ａとして、送信する。
【００５８】
図７は、ＳＵＢ−ＭＡＰポインタＩＥ  ７１２の構造の一例を例示する。ＳＵＢ−ＭＡＰポインタＩＥ  ７１２は待機ユ−ザビット７１４および休止ユ−ザビット７１６を含む。待機ユ−ザビット７１４は、待機モ−ドにある移動局１０４に割り当てられたバ−ストが現フレ−ム内にあるかどうかを示す。休止ユ−ザビット７１６は、休止モ−ドにある移動局１０４に割り当てられたバ−ストが現フレ−ム内にあるかどうかを示す。
【００５９】
ＷｉＭＡＸ規格の現行版に従うと、ＳＵＢ−ＭＡＰポインタＩＥ  ７１２内の待機ユ−ザビット７１４の前に、２８ビットある。休止ユ−ザビット７１６は待機ユ−ザビット７１４の直後に置かれる（すなわちＳＵＢ−ＭＡＰポインタＩＥ  ７１２内に休止ユ−ザビット７１６の前に２９ビットある）。
【００６０】
図８は、無線デバイス８０２において利用され得る種々の構成要素を例示する。無線デバイス８０２はここに説明した種々の方法を実施するように構成され得るデバイスの一例である。無線デバイス８０２は基地局１０２または移動局１０４であり得る。
【００６１】
無線デバイス８０２は無線デバイス８０２の動作を制御するプロセッサ８０４を含み得る。また、プロセッサ８０４は中央演算処理装置（ＣＰＵ）とも呼ばれ得る。読み出し専用メモリ−（ＲＯＭ）およびランダムアクセスメモリ−（ＲＡＭ）の双方を含み得るメモリ−８０６は命令およびデ−タをプロセッサ８０４へ出力する。また、メモリ−８０６の一部は不揮発性ランダムアクセスメモリ−（ＮＶＲＡＭ）を含み得る。プロセッサ８０４はメモリ−８０６内に格納されたプログラム命令に基づいて論理および算術演算を通常実行する。メモリ−８０６内の命令はここに説明した方法を実施するように実行可能であり得る。
【００６２】
また、無線デバイス８０２は無線デバイス８０２と離れた場所との間のデ−タ送信および受信を可能にする送信機８１０および受信機８１２を含み得る筐体８０８も含み得る。送信機８１０および受信機８１２は組み合わせて送受信機８１４になり得る。アンテナ８１６は筐体８０８に取り付けられ、電気的に送受信機８１４と接続され得る。また、無線デバイス８０２は（図示しない）複数の送信機、複数の受信機、複数の送受信機および／または複数のアンテナも含み得る。
【００６３】
また、無線デバイス８０２は送受信機８１４によって受信された信号のレベルを検出し、定量化するために用いられ得る信号検出器８１８も含み得る。信号検出器８１８は総エネルギ−、パワ−スペクトル密度のような信号および他の信号を検出し得る。無線デバイス８０２は処理信号に用いるためのディジタル信号プロセッサ（ＤＳＰ）８２０も含み得る。
【００６４】
無線デバイス８０２の種々の構成要素は、デ−タバスに加えて電力バス、制御信号バス、および状態信号バスを含み得るバスシステム８２２によって接続され得る。しかし、明快さのために、これらの種々のバスをバスシステム８２２として図８に例示する。
【００６５】
用語「決定すること」は、ここで用いられると、広範な種々の動作を包含する。したがって、「決定すること」は、算出すること（ｃａｌｃｕｌａｔｉｎｇ）、計算すること（ｃｏｍｐｕｔｉｎｇ）、処理すること、導出すること、調査すること、検索（例えば表、デ−タベ−スまたは別のデ−タ構造を検索）すること、確認すること、および同類のものを含むことが可能である。また、「決定すること」は、受信（例えば情報を受信）すること、アクセス（例えばメモリ−内のデ−タにアクセス）すること、および同類のものも含むことが可能である。また、「決定すること」は解決すること（ｒｅｓｏｌｖｉｎｇ）、選択すること、選別すること（ｃｈｏｏｓｉｎｇ）、確立すること、および同類のものも含むことが可能である。
【００６６】
特に明記しない限り、語句「基づく」（「基づいて」）は「のみに基づく」（「のみに基づいて」）を意味しない。言い換えれば、語句「基づく」（「基づいて」）は「のみに基づく」（「のみに基づいて」）と「少なくとも基づく」（「少なくとも基づいて」）との両方を表す。
【００６７】
本開示に関して説明された例示的、論理ブロック、モジュ−ル、および回路は、汎用プロセッサ、ディジタル信号プロセッサ（ＤＳＰ）、特定用途向集積回路（ＡＳＩＣ）、プログラマブルゲ−トアレイ（ＦＰＧＡ）、もしくは他のプログラマブル能論理デバイス、個別ゲ−トもしくはトランジスタ論理、個別ハ−ドウェア部品、またはここに説明した機能を実行するように設計されたそれらの任意の組合せで実施または実行され得る。汎用プロセッサは、マイクロプロセッサであり得るが、代替的にはこのプロセッサは、市場で入手可能な任意のプロセッサ、制御器、マイクロ制御器または状態機械であり得る。プロセッサはまた、計算デバイスの組合せ、例えばＤＳＰとマイクロプロセッサ、複数のマイクロプロセッサ、ＤＳＰコアと連係した１つまたは複数のマイクロプロセッサ、または任意の他のそのような構成として実施され得る。
【００６８】
本開示に関して説明された方法またはアルゴリズムのステップは、直接ハ−ドウェアで、プロセッサで実行されるソフトウェアモジュ−ルで、またはその２つの組合せで具体化され得る。ソフトウェアモジュ−ルは当業者に既知のいかなる形式の記憶媒体内にもあり得る。使用され得る記憶媒体のいくつかの例は、ＲＡＭメモリ−、フラッシュメモリ−、ＲＯＭメモリ−、ＥＰＲＯＭメモリ−、ＥＥＰＲＯＭメモリ−、レジスタ、ハ−ドディスク、可搬ディスク、ＣＤ−ＲＯＭなどを含む。ソフトウェアモジュ−ルは、単一の命令、または多くの命令を含むことができ、また、いくつかの異なるコ−ドセグメント上に、異なるプログラム間に、および複数の記憶媒体にわたり横断的に、分散され得る。記憶媒体は、プロセッサが情報を記憶媒体から読み出しおよび情報を記憶媒体に書き込むことが可能なようにプロセッサに接続され得る。代替的には、記憶媒体はプロセッサの構成部品であり得る。
【００６９】
ここに開示された方法は、説明した方法を達成するための１つまたは複数のステップまたは動作を含む。本方法のステップおよび／または動作は特許請求の範囲から逸脱することなく相互に交換され得る。言い換えれば、ステップまたは動作の特定の順序が特定されていない限り、特許請求の範囲から逸脱することなく特定のステップおよび／または動作の順序および／または使用は変更され得る。
【００７０】
説明した機能はハ−ドウェア、ソフトウェア、ファ−ムウェア、またはそれらの任意の組合せで実施され得る。ソフトウェアで実施される場合、機能は計算機可読媒体上の１つまたは複数の命令として格納され得る。計算機可読媒体は計算機によりアクセス可能な任意の利用可能な媒体であり得る。限定としてではなく、例として、計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコ−ドを命令もしくはデ−タ構造の形式で搬送もしくは格納するために用いられることが可能かつ計算機によってアクセス可能な任意の他の媒体、を含み得る。ディスク（ｄｉｓｋ）およびディスク（ｄｉｓｃ）はここに用いられると、コンパクトディスク（ＣＤ）、レ−ザ−ディスク(登録商標)、光ディスク、ディジタル多目的ディスク（ＤＶＤ）、フロッピ−（登録商標）ディスクおよびＢｌｕ−ｒａｙ（Ｒ）ディスクを含む。ここでｄｉｓｋは通常、デ−タを磁気的に再生し、ｄｉｓｃはレ−ザで光学的にデ−タを再生する。
【００７１】
ソフトウェアまたは命令は伝送媒体上でも伝送され得る。例えば、ソフトウェアがウェブサイト、サ−バ、または他のリモ−トソ−スから同軸ケ−ブル、光ファイバケ−ブル、撚り線、ディジタル加入者線（ＤＳＬ）、または赤外線、無線、およびマイクロ波のような無線技術を用いて伝送される場合、同軸ケ−ブル、光ファイバケ−ブル、撚り線、ディジタル加入者線（ＤＳＬ）、または赤外線、無線、およびマイクロ波のような無線技術は伝送媒体の定義に含まれる。
【００７２】
さらに、ここに説明した、図２乃至５に例示したような方法および手法を実行するためのモジュ−ルおよび／または他の適切な手段は、適用可能な場合には、移動デバイスおよび／または基地局によってダウンロ−ドされおよび／または他の方法で取得されることが可能であることが理解されるべきである。例えば、そのようなデバイスは、ここに説明した方法を実行するための手段の転送を容易にするために、サ−バと接続されることが可能である。代替的に、移動デバイスおよび／または基地局がそのデバイスに記憶手段を接続または提供するときに種々の方法を取得可能であるようにするために、ここに説明した種々の方法は、記憶手段（例えばランダムアクセスメモリ−（ＲＡＭ）、読出し専用メモリ−（ＲＯＭ）、コンパクトディスク（ＣＤ）またはフロッピ−（登録商標）ディスク等のような物理的記憶手段）を介して提供されることが可能である。さらに、ここに説明した方法および手法をデバイスに提供するための他のいかなる適切な手法も利用可能である。
【００７３】
特許請求範囲が上に例示した明確な構成および構成要素に限定されないことが理解されるべきである。種々の修正、変更および変形は、特許請求の範囲から逸脱することなく、ここに説明したシステム、方法および装置の配置、動作および詳細においてなされ得る。
【図１】
2011523833.tif 000003
【図２】
2011523833.tif 000004
【図３】
2011523833.tif 000005
【図４】
2011523833.tif 000006
【図５】
2011523833.tif 000007
【図６】
2011523833.tif 000008
【図７】
2011523833.tif 000009
【図８】
2011523833.tif 000010
【国際調査報告】
2011523833.tif 000011